(57)【特許請求の範囲】
【請求項１】
複数チャンネルのそれぞれに対応した番組情報のための信号からなる放送信号を受信する放送受信機を遠隔操作する制御機であって、
前記放送受信機は、
受信された指定チャンネルの情報に基づいて、該指定チャンネルに対応の信号を、前記放送信号から選択して導出する信号選択手段と、
前記信号選択手段により導出された信号に基づく前記番組情報を出力する出力手段とを備え、
前記制御機は、
前記複数チャンネルのそれぞれに対応して、３種類以上の値のうちのいずれかを指す優先度が格納される優先度テーブルと、
外部から操作される入力手段と、
前記指定チャンネルの情報を前記放送受信機に送信する処理手段とを、備え、
前記入力手段は、
前記複数チャンネルを順送りして指定するために操作される順送り指定部と、前記出力手段にて出力されている信号に対応の前記指定チャンネルの、前記優先度の変更を指定するために操作される優先度変更部とを含み、
前記処理手段は、
前記優先度変更部の指定内容に基づいて、前記優先度テーブルの前記指定チャンネルに対応する前記優先度が指す値を増加または減少させるテーブル更新部と、
前記順送り指定部の指定内容に基づいて、前記複数チャンネルのそれぞれを、前記優先度テーブルの当該チャンネルに対応の前記優先度が指す値の大きさに従って順送りしながら前記指定チャンネルの情報として前記放送受信機に送信する送信手段とを含む、制御機。
【請求項２】
前記制御機は、
前記複数チャンネルのそれぞれを、前記優先度テーブルの対応する前記優先度が指す値に基づく順番で並べた順列テーブルを、さらに備え、
前記複数のチャンネルの前記順送りは、前記順列テーブルの内容に従い行なわれる、請求項１に記載の制御機。
【請求項３】
前記処理手段は、前記出力手段にて、前記指定チャンネルに対応の前記番組情報が出力され始めたときから時間を計時するタイマを有し、
前記タイマが所定期間を計時したことに応じて、前記複数チャンネルに対応の前記優先度テーブルの優先度の値を所定初期値に設定する、請求項１に記載の制御機。
【請求項４】
前記処理手段は、前記指定チャンネルに対応の前記番組情報の放送が終了して前記出力手段により、次の前記番組情報の出力に移行したことに応じて、前記指定チャンネルに対応の前記優先度テーブルの優先度の値に所定初期値を設定する、請求項１に記載の制御機。
【発明の詳細な説明】
【０００１】
【発明の属する技術分野】
複数のチャンネルを受信する放送受信機を遠隔操作する制御機であって、特に、視聴したい番組を任意に選択することができる放送受信機を遠隔操作する制御機に関する。
【０００２】
【従来の技術】
放送受信機あるいは放送受信機に付属するリモートコントローラ（以下、リモコンと略す）には、チャンネルを変更するボタンとして、ダイレクトで所望チャンネルを選局するダイレクト選局ボタンと、チャンネル番号の昇順あるいは降順にチャンネルを変えるチャンネル番号Ｕｐボタンあるいはチャンネル番号Ｄｏｗｎボタンの２種類しかなかった。チャンネル番号Ｕｐボタンあるいはチャンネル番号Ｄｏｗｎボタンでは、チャンネルが変わっていく順番は、放送受信機内部で固定とされていた。
【０００３】
特開平１１−２６６４０５号公報では、ユーザの好みを予想した放送やＩＣ（集積回路の略）カード、電話回線などの媒体で提供される順番、あるいは時間帯で予め決められた順番を記憶し、チャンネルの順番をその記憶した順番に変更する方法が開示されている。
【０００４】
【発明が解決しようとする課題】
視聴者にとって、見たい番組が決まっていなくて、放送されている番組の中から興味を引く番組を探す際に、放送されている番組をチャンネル番号Ｕｐボタンあるいはチャンネル番号Ｄｏｗｎボタンを使って、順に番組を少しずつ見ていき、全番組を見終わった後、一番見たい番組を決定して、本格的に視聴するという、いわゆるザッピングという操作を行ない、見たい番組を決定していた。
【０００５】
上述のように番組を少しずつ見ていくときに、気になる番組が複数あったり、ちょうどコマーシャル放送で番組を視聴できなかったりすると、一通り全チャンネルを見終わった後、もう一度、ザッピングをして、最終的に１つのチャンネル（番組）に決めるようにしていた。
【０００６】
しかしながら、２回目以降のザッピングでは、前回一通りザッピングが終了しているので、見たい番組は、視聴できるすべての番組から数チャンネルに絞れている場合が多い。
【０００７】
従来の技術では、視聴しない番組と決めていても２回目のザッピングではチャンネル番号Ｕｐボタンあるいはチャンネル番号Ｄｏｗｎボタンで、順にもう一度番組を見ていくか、１回目に興味を引くチャンネル番号を覚えておいて、ダイレクト選局ボタンで選局するしかなかった。
【０００８】
また、特開平１１−２６６４０５号公報の方法では、ユーザの好みで、順番が選択されているが、必ずしも、ザッピング時にユーザが見たい順番になっているとは限らず、順番を選択してからザッピングを繰返しても、選択したチャンネル順にしか選局できない。
【０００９】
それゆえにこの発明の目的は、所望するチャンネルを速やかに選択することのできる放送受信機を遠隔操作する制御機を提供することである。
【００１０】
【課題を解決するための手段】
この発明のある局面に係る放送受信システムは、複数チャンネルのそれぞれに対応した番組情報のための信号からなる放送信号を受信するシステムであって、放送受信機と制御機とを備える。
【００１１】
放送受信機は、与えられる指定チャンネルの情報に基づいて、該指定チャンネルに対応の信号を、放送信号から選択して導出する信号選択手段と、受信した所定信号に基づいて、選択が指定されている所望チャンネルを特定処理して指定チャンネルの情報として信号選択手段に与える処理手段と、信号選択手段により導出された信号に基づく番組情報を出力する出力手段とを有する。
【００１２】
制御機は、複数チャンネルを所定順送りして所望チャンネルを指定するために操作されるチャンネル指定部と、出力手段にて出力されている指定チャンネルに対応の信号の、信号選択手段による選択の中断または中断後の選択の再開を指定するために操作される中断再開指定部とを有した入力手段と、入力手段における指定内容を所定信号として放送受信機に送信する通信手段とを有する。
【００１３】
上述の放送受信システムによれば、出力手段にて出力されている指定チャンネルの信号による番組情報を、以降のチャンネル選択においては出力させることなく省略したいことが所望されると、入力手段のチャンネル指定部および中断再開指定部により、処理手段の特定処理を介して、信号選択手段に対して該指定チャンネルの以降の選択が中断されるようになされる。
【００１４】
それゆえに、ユーザは、出力部にて出力されている番組情報を確認して、以降のチャンネル選択においては出力したくない番組情報であれば、中断再開指定部を操作して選択の中断を指定するだけで、以降のチャンネル選択においては該チャンネルの番組情報を出力手段にて出力させずに、他のチャンネルの番組情報のみを、すなわち所望する番組情報の候補のみを出力手段にて順次出力させて確認することができるから、最終的に決定される所望番組情報に対応のチャンネルを速やかに選択指定することができる。
【００１５】
この発明の他の局面に係る放送受信システムは、複数チャンネルのそれぞれに対応した番組情報のための信号からなる放送信号を受信するシステムであって、放送受信機と制御機とを備える。
【００１６】
放送受信機は、受信した指定チャンネルの情報に基づいて、該指定チャンネルに対応の信号を、放送信号から選択して導出する信号選択手段と、信号選択手段により導出された信号に基づく情報を出力する出力手段とを有する。
【００１７】
制御機は、複数チャンネルを所定順送りして所望チャンネルを指定するために操作されるチャンネル指定部と、出力手段にて出力されている指定チャンネルに対応の信号の、信号選択手段による選択の中断または中断後の選択の再開を指定するために操作される中断再開指定部とを有した入力手段と、入力手段における指定内容に基づいて、選択が指定されている所望チャンネルを特定処理して指定チャンネルの情報として放送受信機に送信する処理手段とを有する。
【００１８】
上述の放送受信機によれば、出力手段にて出力されている指定チャンネルの信号による番組情報を、以降のチャンネル選択においては出力させることなく省略したいことが所望されると、入力手段のチャンネル指定部および中断再開指定部により、処理手段の特定処理を介して、以降のチャンネル選択においては、信号選択手段に対して該指定チャンネルの選択が中断されるようになされる。
【００１９】
それゆえに、ユーザは、出力部にて出力されている番組情報を確認して、これが出力したくない番組情報であれば、中断再開指定部を操作して選択の中断を指定するだけで、以降のチャンネル選択においては該チャンネルの番組情報を出力手段にて出力させずに、他のチャンネルの番組情報のみを、すなわち所望する番組情報の候補のみを出力手段にて順次出力させて確認することができるから、最終的に決定される所望番組情報に対応のチャンネルを速やかに選択指定することができる。
【００２０】
上述の放送受信システムにおいては、処理手段は、複数チャンネルのそれぞれについて、所定信号に基づいて選択中断が指定されているか否かを示す選択情報が書込まれて記憶される記憶手段を有して、特定処理は、所定順送り指定された所望チャンネルに対応の記憶手段中の選択情報を参照して行なわれるように構成されてもよい。
【００２１】
上述の放送受信システムによれば、処理手段による指定チャンネル特定のための特定処理は、複数チャンネルのそれぞれについて、所定信号に基づいて選択中断が指定されているか否かを示す選択情報が書込まれて記憶される記憶手段の内容を参照しながらなされる。そして、所定順送り指定された所望チャンネルに対応の記憶手段中の選択情報が、選択中断を指示している場合には、所定順送りの次位のチャンネルが所望チャンネルに指定される。
【００２２】
それゆえに、処理手段は、記憶手段にて逐次更新される複数チャンネルに対応の選択情報を参照するだけで、ユーザに対して所望する番組情報の候補のみを出力手段に出力させて順次確認させることができるから、ユーザは最終決定される所望番組情報に対応のチャンネルを速やかに選択指定することができる。
【００２３】
上述の放送受信システムでは、処理手段は、出力手段にて、指定チャンネルに対応の番組情報が出力され始めたときからの時間を計時するタイマを有し、タイマが所定期間を計時したことに応じて、記憶手段の複数チャンネルに対応の選択情報について、選択指示を設定するように構成されてもよい。
【００２４】
上述の放送受信システムによれば、タイマが所定時間を計時終了した際には、記憶手段の複数チャネルに対応の選択情報について、一律に選択指示が設定される。
【００２５】
それゆえに、タイマが所定時間を計時終了して放送される番組が推移したことで、ユーザが、複数チャンネルの全てについて対応の信号を選択して番組情報を確認したいと所望する際には、ユーザは、複数チャンネルに対応の選択情報について選択指示が設定されるような特別な操作を行なわなくとも、再度、複数チャンネルの全てを対象にして所定順送りしながら対応の信号を選択させて、出力手段にて該番組情報を出力させて確認することができて、利便性に優れる。
【００２６】
上述の放送受信システムにおいては、入力手段は、記憶手段の複数チャンネルに対応の選択情報に選択指示を設定するよう指定するために操作される初期設定部を更に有して、処理手段は、初期設定部が操作されたことに応じて、記憶手段の複数チャンネルに対応の選択情報について、選択指示を設定するように構成されてもよい。
【００２７】
上述の放送受信システムによれば、初期設定部が操作された際には、記憶手段の複数チャネルに対応の選択情報について、一律に選択指示が設定される。
【００２８】
それゆえに、ユーザが、複数チャンネルの全てについて対応の信号を選択して番組情報を順次確認したいと所望する際には、ユーザは、初期設定部を操作するだけという簡単操作で、再度、複数チャンネルの全てを対象にして所定順送りしながら対応の信号を選択して、出力手段にて該番組情報を出力して確認することができて、利便性に優れる。
【００２９】
この発明のさらなる他の局面に係る放送受信システムは、複数チャンネルのそれぞれに対応した番組情報のための信号からなる放送信号を受信するシステムであって、放送受信機と制御機とを備える。
【００３０】
放送受信機は、与えられる指定チャンネルの情報に基づいて、該指定チャンネルに対応の信号を、放送信号から選択して導出する信号選択手段と、受信した所定信号に基づいて、複数チャンネルのそれぞれを、選択の要求の程度の大きさに従って順送りしながら指定チャンネルの情報として信号選択手段に与える処理手段と、信号選択手段により導出された信号に基づく情報を出力する出力手段とを有する。
【００３１】
前記複数チャンネルを前記順送りして指定するために操作される順送り指定部と、前記出力手段にて出力されている信号に対応の指定チャンネルの、選択要求程度を指定するために操作される選択要求指定部とを有した入力手段と、入力手段における指定内容を所定信号として放送受信機に送信する通信手段とを有する。
【００３２】
上述の放送受信システムによれば、出力手段にて出力されている指定チャンネルの信号による番組情報を、以降のチャンネル選択においては選択要求の程度を低くして出力順番を遅くしたいことが所望されると、入力手段の順送り指定部および選択要求指定部によりこの所望内容が入力される。そして、処理手段を介して、信号選択手段に対して所望された選択要求の程度の大きさに従った順番にて複数チャンネルを指定しながら順送りして、該指定チャンネルに対応の信号による番組情報が出力手段にて出力される。
【００３３】
それゆえに、ユーザは、出力部にて出力されている番組情報を確認して、所望しない番組情報であれば、選択要求指定部を操作して対応のチャンネルの選択要求の程度を変更指定するだけで、以降のチャンネル選択においては該チャンネルの番組情報を遅い順番で、出力手段に出力させて、他のチャンネルの番組情報を、すなわち所望する番組情報の候補を出力手段にて早い順番で、出力手段に出力させて確認することができるから、最終的に決定される所望番組情報に対応のチャンネルを速やかに選択指定することができる。
【００３４】
この発明のさらなる他の局面に係る放送受信システムは、複数チャンネルのそれぞれに対応した番組情報のための信号からなる放送信号を受信するシステムであって、放送受信機と制御機とを備える。
【００３５】
放送受信機は、受信された指定チャンネルの情報に基づいて、該指定チャンネルに対応の信号を、放送信号から選択して導出する信号選択手段と、信号選択手段により導出された信号に基づく情報を出力する出力手段とを有する。
【００３６】
制御機は、複数チャンネルを順送りして指定するために操作される順送り指定部と、出力手段にて出力されている信号に対応の指定チャンネルの、選択要求程度を指定するために操作される選択要求指定部とを有した入力手段と、入力手段における指定内容に基づいて、複数チャンネルのそれぞれを、選択の要求の程度の大きさに従って順送りしながら指定チャンネルの情報として放送受信機に送信する処理手段とを有する。
【００３７】
上述の放送受信システムによれば、出力手段にて出力されている指定チャンネルの信号による番組情報を、以降のチャンネル選択においては選択要求の程度を低くして出力の優先度を低くしたいことが所望されると、入力手段の順送り指定部および選択要求指定部により該所望内容が入力される。そして、処理手段を介して、信号選択手段に対して所望された選択要求の程度の大きさに従った順番にて複数チャンネルを指定しながら順送りして、該指定チャンネルに対応の信号による番組情報が出力手段にて出力される。
【００３８】
それゆえに、ユーザは、出力部にて出力されている番組情報を確認して、所望しない番組情報であれば、選択要求指定部を操作して対応のチャンネルの選択要求の程度を変更指定するだけで、以降のチャンネル選択においては該チャンネルの番組情報を遅い順番で出力手段に出力させて、他のチャンネルの番組情報を、すなわち所望する番組情報の候補を出力手段にて早い順番で出力させて確認することができるから、最終的に決定される所望番組情報に対応のチャンネルを速やかに選択指定することができる。
【００３９】
上述の放送受信システムにおいては、処理手段は、複数チャンネルのそれぞれを、所定信号にて指定される対応の選択要求程度に基づく順番で並べた順列テーブルを有して、順送りは、順列テーブルの内容に従い行なわれるように構成されてもよい。
【００４０】
上述の放送受信システムによれば、処理手段による指定チャンネルの順送りは、複数チャンネルのそれぞれを所定信号にて指定される対応の選択要求程度に基づく順番で並べた順列テーブルの内容を参照しながらなされる。
【００４１】
それゆえに、処理手段は、順列テーブルにて逐次更新される複数チャンネルに対応の選択要求程度を参照するだけで、ユーザに対して選択要求される程度の高い順にチャンネルを選択して対応の番組情報を出力手段に出力させて順次確認させることができるから、ユーザは最終決定する所望番組情報に対応のチャンネルを速やかに選択指定することができる。
【００４２】
上述の放送受信システムにおいては、処理手段は、出力手段にて、指定チャンネルに対応の番組情報が出力され始めたときから時間を計時するタイマを有し、タイマが所定期間を計時したことに応じて、順列テーブルの複数チャンネルに対応の選択要求程度を所定初期値に設定するように構成されてもよい。
【００４３】
上述の放送受信システムによれば、タイマが所定時間を計時終了した際には、順列テーブルの複数チャネルに対応の選択要求程度について、一律に所定初期値が設定される。
【００４４】
それゆえに、タイマが所定時間を計時終了して放送される番組が推移したことで、ユーザが、これまでに設定された選択要求の程度を無効にして、複数チャンネルの全てについて対応の信号を所定の初期の順番に従い順に選択して番組情報を確認したいと所望する場合には、ユーザは、複数チャンネルに対応の選択要求程度を所定初期値に設定するための特別な操作を行なわなくとも、再度、複数チャンネルの全てを対象にして所定の初期順番にて順送りしながら対応の信号を選択させて、出力手段にて該番組情報を出力させて確認することができて、利便性に優れる。
【００４５】
上述の放送受信システムにおいては、処理手段は、出力手段にて、指定チャンネルに対応の番組情報の放送が終了して次の番組情報に移行したことに応じて、順列テーブルの指定チャンネルに対応の選択要求程度を所定初期値に設定するように構成されてもよい。
【００４６】
上述の放送受信システムによれば、出力手段にて出力されたいた指定チャンネルに対応の番組情報の放送が終了して、ユーザが、これまでに設定された選択要求の程度を無効にして、複数チャンネルの全てについて対応の信号を所定の初期の順番に従い順に選択して番組情報を確認したいと所望する場合には、ユーザは、複数チャンネルに対応の選択要求程度を所定初期値に設定するための特別な操作を行なわなくとも、再度、複数チャンネルの全てを対象にして所定の初期順番にて順送りしながら対応の信号を選択させて、出力手段にて該番組情報を出力させて確認することができて、利便性に優れる。
【００４７】
上述の放送受信システムにおいては、入力手段は、順列テーブルの複数チャンネルに対応の選択要求程度を所定初期値に設定するのを指定するために操作される初期設定部を更に有して、処理手段は、初期設定部が操作されたことに応じて、順列テーブルの複数チャンネルに対応の選択要求程度を初期値に設定するように構成されてもよい。
【００４８】
上述の放送受信システムによれば、初期設定部が操作された際には、順列テーブルの複数チャネルに対応の選択要求程度について、一律に初期値が設定される。
【００４９】
それゆえに、ユーザが、複数チャンネルの全てについて対応の信号を選択して番組情報を順次確認したいと所望する場合には、ユーザは、初期設定部を操作するだけという簡単操作で、再度、複数チャンネルの全てを対象にして所定順送りしながら対応の信号を選択させて、出力手段にて該番組情報を出力させて確認することができて、利便性に優れる。
【００５０】
【発明の実施の形態】
以下、この発明の各実施の形態について図面を参照し説明する。
【００５１】
（実施の形態１）
ここで、実施の形態１について説明する。
【００５２】
図１はこの発明の各実施の形態に係るシステムの構成図である。放送受信システムは放送受信機１００と放送受信機１００を遠隔にて操作するためのリモコン１１０を含む。リモコン１１０は、たとえば赤外線信号を用いて放送受信機１００の動作を遠隔にて制御する。放送受信機１００はたとえばテレビジョン放送を受信するためのものであって、チューナ部１０１、映像を画面にて表示するための表示部１０２、放送受信機１００を集中的に制御するためのマイクロコンピュータからなる処理部１０３、処理部１０３によりアクセスされて各種のデータおよびプログラムを記憶するための記憶部１０４およびリモコン１１０から送信される信号を受信するためのリモコン通信部１０５を含む。リモコン１１０は放送受信機１００を遠隔にて操作するための各種情報を入力するためにユーザにより操作されるチャンネルボタンを含む各種のボタンからなる入力部１１２および入力部１１２から与えられる信号に対応の赤外線信号を放送受信機１００に送信するためのリモコン通信部１１１を含む。
【００５３】
ここでは、放送受信機１００内部に表示部１０２を備える構成としているが、放送受信機本体と表示部とが個別に構成されるようにしてもよい。
【００５４】
動作において、ユーザが、リモコン１１０の入力部１１２上に設けられたボタンを操作すると、操作したボタンに関する情報は、入力部１１２から、リモコン通信部１１１を介して、赤外線信号に変換されて放送受信機１００に与えられる。
【００５５】
放送受信機１００は、リモコン１１０から送信される信号、たとえばチャンネル番号Ｕｐやチャンネル番号Ｄｏｗｎの命令などの信号をリモコン通信部１０５により受信して、処理部１０３に与える。処理部１０３では、記憶部１０４に記憶されている情報を受信した情報に基づいて参照しながら、表示部１０２において次に表示すべき映像信号のチャンネル番号を決定し、チューナ部１０１に対して、決定したチャンネル番号を指示する。チューナ部１０１は、指示されたチャンネル番号を選局するよう動作して、選局されたチャンネル番号のテレビジョン信号に含まれる映像信号が表示部１０２に与えられて、表示される。
【００５６】
図２は、本実施の形態１によるリモコンの外観図である。リモコン１１０には、チャンネル番号を昇順に変えるためのボタン２０１、降順に変えるためのボタン２０２、見たくない番組（チャンネル番号）を記憶するための記憶ボタン２０３、記憶した情報を消去するための記憶消去ボタン２０４、直接にチャンネル番号を指定するためのボタン２０５、操作されたボタンの情報を、放送受信機１００に赤外線信号にして送信するための通信部２０６とを備える。
【００５７】
ここでは、図示されるようにリモコン１１０で選択できるチャンネル数を１２としているが、選択可能なチャンネル数は、２つ以上であればよい。また、直接にチャンネル番号を指定するボタン２０５は、設けなくてもよい。
【００５８】
次に、本実施の形態による放送受信システムの動作を説明する。
図３は、この発明の実施の形態１に係る処理フローチャートである。図４（Ａ）と（Ｂ）は、本実施の形態１に係るチャンネルフラグ対応表を示す図である。図示されるチャンネルフラグ対応表ＴＢ１はテーブルにして記憶部１０４に記憶される。チャンネルフラグ対応表ＴＢ１は、複数のチャンネル番号ＣＨのそれぞれに対応して、該チャンネルにて放送されている番組は、ユーザが見たくない番組であればＴｒｕｅが設定されて、そうでなければＦａｌｓｅが設定されるフラグ情報である見たくないフラグＦＬが格納される。なお、見たくないフラグＦＬには初期値としてＦａｌｓｅが設定される。
【００５９】
ザッピングの際には、該チャンネルフラグ対応表ＴＢ１が参照されて、見たくないフラグＦＬがＦａｌｓｅと設定されているチャンネル番号ＣＨのチャンネルはザッピングの対象となるが、見たくないフラグＦＬがＴｒｕｅと設定されているチャンネル番号ＣＨのチャンネルはザッピングの対象とならない。
【００６０】
動作において、ユーザがリモコン１１０のボタンを押すと、ステップＳ３０１で、どのボタンが押下されたのかが判断される。記憶消去ボタン２０４が押下されていれば、ステップＳ３０２において、図４（Ａ）のように、すべてのチャンネル番号ＣＨに対する見たくないフラグＦＬをＦａｌｓｅに設定し、すべてのチャンネルでザッピング可能な状態にする。
【００６１】
記憶ボタン２０３が押下されたならば、ステップＳ３０３で、図４（Ａ）において、現在チューナ部１０１が選局しているチャンネル番号ＣＨに対する見たくないフラグＦＬをＴｒｕｅに設定する。この結果、すべてのチャンネル番号ＣＨの見たくないフラグＦＬがＴｒｕｅに設定されると、表示部１０２に映像表示できるチャンネルがなくなってしまうエラーケースとなるから、該エラーケースが生じていないかをステップＳ３０６でチェックする。
【００６２】
該エラーケースが生じている場合は、ステップＳ３０７で今、記憶しようとしたチャンネル番号ＣＨに対する見たくないフラグＦＬをＦａｌｓｅに戻す。このとき、ユーザに対してエラー状態を報知するために、リモコン１１０は図示されない出力部を介して警告表示や警告音を出すようにしてもよい。たとえば、チャンネル２を見ているときに、記憶ボタン２０３が押下されると、チャンネル番号ＣＨ＝２に対する見たくないフラグＦＬがＴｒｕｅになる。具体的には、図４（Ａ）が図４（Ｂ）の状態となる。
【００６３】
また、チャンネル番号Ｕｐボタンが押されると、ステップＳ３０４で現在のチャンネル番号ＣＨを１つ上げた番号を、次に合わせるチャンネル番号ＣＨにする（Ｓ３０４）。このとき、チャンネル番号ＣＨが一番大きい１２であると、チャンネル番号ＣＨを一番小さい１に戻すものとする。
【００６４】
次に、チャンネルフラグ対応表ＴＢ１を参照して、次に合わせるチャンネル番号ＣＨに対する見たくないフラグＦＬが確認される。確認結果、この見たくないフラグＦＬがＦａｌｓｅならば（Ｓ３０８でＮＯ）、このチャンネル番号ＣＨについて受信が行なわれるようにチューナ部１０１が変更される（Ｓ３１０）。もし、見たくないフラグＦＬがＴｒｕｅならば（Ｓ３０８でＹＥＳ）、さらにもう１回チャンネル番号ＣＨを１つ上げるためにステップＳ３０４に戻る。
【００６５】
たとえば、チューナ部１０１が、チャンネル番号ＣＨ＝１に合っていて、表示部１０２にチャンネル１の放送が流れているとする。チャンネルフラグ対応表ＴＢ１が図４（Ｂ）のようになっているときに、チャンネル番号Ｕｐボタン２０１を押すと、次に合わせるチャンネル番号ＣＨが２になるので、図４（Ｂ）のチャンネルフラグ対応表ＴＢ１のチャンネル番号ＣＨ＝２に対する見たくないフラグＦＬが参照される。参照結果、この見たくないフラグＦＬはＴｒｕｅに設定されているので、ステップＳ３０４に戻り、さらにチャンネル番号ＣＨを１つ上げ、チャンネル番号ＣＨ＝３に対する見たくないフラグＦＬが参照される。参照結果、この見たくないフラグＦＬはＦａｌｓｅになっているので、チューナ部１０１はチャンネル番号ＣＨ＝３に合わせるように調整される。
【００６６】
また、チャンネル番号Ｄｏｗｎボタン２０２が押下されると、現在、受信しているチャンネル番号ＣＨを１つ下げたチャンネル番号ＣＨの信号が受信されるように、チューナ部１０１が調整される（ステップＳ３０５）。
【００６７】
このとき、チャンネル番号ＣＨが一番小さい１であるとすれば一番大きい１２に変更されるものとする。
【００６８】
次に、チャンネルフラグ対応表ＴＢ１を参照して、次に合わせるチャンネル番号ＣＨに対する見たくないフラグＦＬを確認する（Ｓ３０９）。確認結果、この見たくないフラグＦＬがＦａｌｓｅならば、このチャンネル番号ＣＨが受信されるようにチューナ部１０１が調整される（Ｓ３１０）。もし、見たくないフラグＦＬがＴｒｕｅならば、さらにもう１回チャンネル番号ＣＨを１つ下げるためにステップＳ３０５に戻る。
【００６９】
また、ボタン２０５が押下されると、対応のチャンネル番号ＣＨが受信されるようにチューナ部１０１が調整される（Ｓ３１０）。
【００７０】
このような処理手順に従い、チャンネル番号ＣＨを上下させて、所望チャンネル番号ＣＨにて一度、記憶ボタン２０３を押下すると、その後、記憶消去ボタン２０４が押下されるまで、該所望チャンネル番号ＣＨにて放送されている番組は見られなくなり、結果として、見たくないと決めた番組は２回目以降のザッピングでは見なくても済む。
【００７１】
また、時間帯が変わってすべてのチャンネル番号ＣＨから再度、選局を行ないたい場合は、記憶消去ボタン２０４を押下するだけで、すべてのチャンネル番号ＣＨに対して再度ザッピングができるようになる。
【００７２】
（実施の形態２）
次に実施の形態２について説明する。図５は本実施の形態２に係る放送受信システムの構成図である。図５において放送受信システムは放送受信機５００および放送受信機５００を遠隔にて制御するためのリモコン５１０を含む。放送受信機５００はテレビジョン放送を受信するようなものであって、チューナ部５０１、表示部５０２およびリモコン５１０との間で制御のための赤外線信号を送受信するリモコン通信部５０５を含む。リモコン５１０は放送受信機５００との間で制御のための赤外線信号を送受信するリモコン通信部５１１、入力部５１２、マイクロコンピュータを含んでなる処理部５１３、処理部５１３によりアクセスされて各種情報が記憶される記憶部５１４およびタイマ５１５を含む。
【００７３】
なお本実施の形態では、放送受信機５００内部において表示部５０２を有する構成としたが、放送受信機本体と液晶モニタなどからなる表示部５０２とは別個の構成とするようにしてもよい。
【００７４】
図６は図５のリモコン５１０の外観図である。リモコン５１０には、チャンネル番号を決められた順番に変えるためのチャンネル送りボタン６０１、その逆順番に送るチャンネル戻しボタン６０２、見たくない番組のチャンネル番号を記憶するために操作される記憶ボタン６０７、見たい番組のチャンネル番号をを記憶するために操作される記憶ボタン６０８、直接チャンネル番号を指定するために操作されるボタン６０５、電源ボタン６０９、操作されたボタンの情報を放送受信機５００に赤外線信号にて送信したり、放送受信機５００から送信された赤外線信号を受信するための通信部６０６を有する。ここでは、リモコン５１０で選択できるチャンネル数を１２としているが、チャンネル数は２つ以上であればよい。
【００７５】
放送受信機５００において、リモコン５１０から送信されるチャンネル番号変更などの命令の信号はリモコン通信部５０５にて受信されて、チューナ部５０１に送られる。また、電源ボタン６０９が操作されて放送受信機５００の電源ＯＮが指示されたときには、リモコン通信部５０５からリモコン通信部５１１に対して現在、チューナ部５０１にて選局されているチャンネル番号が送信されて、リモコン５１０において記憶部５１４にこのチャンネル番号が記憶される。
【００７６】
ここでは、リモコン５１０の記憶部５１４において現在選局されているチャンネル番号を記憶するためのトリガとして電源ボタン６０９の操作を指定したが、放送受信機５００から定期的に現在選局されているチャンネル番号を送信するようにしてもよいし、リモコン５１０から直接にチャンネル番号を指定するボタンが指定されたときに、その指定されたチャンネル番号を記憶部５１４にて記憶するようにしてもよい。
【００７７】
次に、本実施の形態２に係るシステムの動作を説明する。図７は、この発明の実施の形態２に係る処理フローチャートである。図８（Ａ）と（Ｂ）は、本実施の形態２に係るチャンネル優先度対応表ＴＢ２を示す図である。図９（Ａ）〜（Ｃ）は、本実施の形態２に係るチャンネル番号送り順列テーブルＴＢ３を示す図である。これらのテーブルは、記憶部５１４に記憶される。
【００７８】
チャンネル優先度対応表ＴＢ２は、各チャンネル番号ＣＨについて対応の番組を見たい、あるいは見たくないといったことを示すユーザによる入力情報である優先度ＰＲが設定される。チャンネル優先度対応表ＴＢ２に基づいて、チャンネル番号送り順列テーブルＴＢ３にはチャンネル番号ＣＨを送る順番がチャンネル番号列として記憶される。
【００７９】
具体的には、すべてのチャンネル番号ＣＨに対する優先度ＰＲを初期化したときには、図８（Ａ）のように優先度はすべて０に初期化され、チャンネル番号ＣＨの並びは図９（Ａ）のように設定される。もし、図８（Ｂ）のような優先度ＰＲの設定状態であったとすると、チャンネル番号ＣＨの並びは図９（Ｂ）のようになる。また見たいボタン６０８を操作すると、そのときに放送されているチャンネル番号ＣＨに対する優先度ＰＲの値が１増加し、見たくないボタン６０７が操作されると、そのときにチューナ部５０１にて受信されて放送されているチャンネル番号ＣＨに対する優先度ＰＲの値が１減少する。
【００８０】
本実施の形態では、優先度ＰＲが負の値になっていると、ザッピングで対応のチャンネル番号ＣＨのチューナ部５０１によるチューニングはスキップされるものとする。
【００８１】
なお、スキップをせずにすべてのチャンネル番号ＣＨを対応の優先度ＰＲの順にチャンネル送りしながらチューニングするようにしてもよい。
【００８２】
次に、図７を参照して動作を説明する。
まず、ユーザが、ザッピングせずに、同じチャンネル番号ＣＨの番組を見続けていれば、ステップＳ７０１でタイマ５１５による記憶消去タイマの計時が満了する。記憶消去タイマの値は、放送受信システムが予め設定しておくようにしてもよいし、ユーザが任意で設定できるようにしてもよい。
【００８３】
記憶消去タイマが満了すれば、ステップＳ７０２で全チャンネル番号ＣＨの見たい、あるいは見たくないボタン６０８あるいは６０７を押したことによる情報を記憶部５１４のチャンネル優先度対応表ＴＢ２の優先度ＰＲを全て初期化して、優先度ＰＲに基づいて並べられていたチャンネル番号送り順列テーブルＴＢ３の内容も初期化する。この結果、各チャンネル番号ＣＨに対する優先度ＰＲは図８（Ａ）のようになる。また、チャンネル番号ＣＨの並びは、チューナ部５０１によりチャンネル番号ＣＨ＝１に合っていると想定すれば、チャンネル番号ＣＨ＝１を起点に、図９（Ａ）のようにチャンネル番号ＣＨが並べられ、チャンネル番号ＣＨ＝４に合っているとすれば、チャンネル番号ＣＨ＝４を起点に図９（Ｃ）のように並べられる。
【００８４】
本実施の形態では、初期化時には、図９（Ａ）や（Ｃ）のようにチャンネル番号ＣＨの順列に従ってユーザの好みや、チャンネルを選択する頻度などを覚えておいて、それに応じて初期化を行なうようにしてもよい。
【００８５】
一方、ユーザがリモコン５１０のボタンを押すと、ステップＳ７０３において、どのリモコンのボタンが押下されたのかが判断される。
【００８６】
見たい記憶ボタン６０８が押下されているならば、ステップＳ７０４で、チャンネル優先度対応表ＴＢ２において、現在チューナ部５０１が受信しているチャンネル番号ＣＨに対する優先度ＰＲを１増加する。
【００８７】
見たくない記憶ボタン６０７が押下されているならば、ステップＳ７０５で、チャンネル優先度対応表ＴＢ２において、現在チューナ部５０１により受信されている対応のチャンネル番号ＣＨに対する優先度ＰＲを１減少させる。このとき、すべてのチャンネル番号ＣＨの優先度ＰＲが負の値になってしまうと、表示部５０２に表示できるチャンネルがなくなってしまうから、その場合はステップＳ７０６にてチェックし、該当する場合、ステップＳ７０７で今変更しようとしていたチャンネル番号ＣＨに対する優先度ＰＲの値を元に戻す。このとき、ユーザにエラー状態を報知させるために、図示されない出力部により警告表示や警告音を出すようにしてもよい。
【００８８】
たとえば、初期化されて、すべてのチャンネル番号ＣＨに対する優先度ＰＲが０の状態において、チャンネル２を見ているときに、見たくない記憶ボタン６０７が押下されると、チャンネル番号ＣＨ＝２に対する優先度ＰＲは−１となり、チャンネル４を見ているときに見たい記憶ボタン６０８が押下されれば、チャンネル番号ＣＨ＝４に対する優先度ＰＲは＋１となる。
【００８９】
チャンネル送りボタン６０１を押下すると、ステップＳ７０８で、現在チューニングされているチャンネル番号ＣＨがチャンネル番号送り順列テーブルＴＢ３の最後かどうかをチェックする。もし、最後であれば、すべてのチャンネルに対してザッピングが一通り終わったので、ステップＳ７１０へ飛ぶ。また、最後でなくても、次のチャンネル番号ＣＨの優先度ＰＲが負の値であれば、今のチャンネルの並びではもう表示するべきチャンネルはないのでステップＳ７１０へ飛ぶ。それ以外のときは、Ｓ７１４で次のチャンネル番号ＣＨが受信されるようにチューナ部５０１を調整する。
【００９０】
ステップＳ７１０では、チャンネル優先度対応表ＴＢ２の内容に基づいてチャンネル番号送り順列テーブルＴＢ３におけるチャンネル番号ＣＨを並べ直す。並べ方は、優先度ＰＲの高い方から順に並べ、同一の優先度ＰＲを持つチャンネルは、どのように並べてもよい。たとえば、初期化が行なわれて図８（Ａ）の状態から、チャンネル４と８に対し見たい記憶ボタン６０８を操作して、チャンネル２と１１に対し見たくない記憶ボタン６０７を操作すれば、図８（Ｂ）のような設定状態となる。これを、ステップＳ７１０で並べ直すと、図９（Ｂ）の並び方となる。ステップＳ７１１では、並べ直した結果における一番最初のチャンネルに変更される。
【００９１】
チャンネル戻しボタン６０２を押すと、ステップＳ７１２で、チューニングされて受信されているチャンネル番号ＣＨは、チャンネル番号送り順列テーブルＴＢ３における最初のチャンネル番号ＣＨかどうかチェックされ、最初でなければステップＳ７１３でチャンネル番号ＣＨを１つ前のチャンネルに変更する。
【００９２】
チャンネル直接選択ボタンが６０５が押下されたときは、押下されたチャンネルに対応して受信動作がなされるようにチューナ部５０１が調整される。
【００９３】
ステップＳ７１１あるいはステップＳ７１５でチャンネルを変更すると、そのときは、ザッピング中であると判断されて、ステップＳ７１６で前述の記憶消去タイマを再起動させて、タイマの満了する時刻を、チャンネル変更があったときからに変更する。
【００９４】
（実施の形態３）
次に実施の形態３について説明する。図１０は、この発明の実施の形態３に係る放送受信システムの構成図である。放送受信システムは放送受信機１０００とリモコン１０１０を含む。放送受信機１０００はチューナ部１００１、表示部１００２、リモコン通信部１００５およびＥＰＧ情報管理部１００６を含む。ここでは、放送受信機１０００の内部に表示部１００２を備える構成としているが、放送受信機１０００の本体と液晶モニタなどからなる表示部１００２とは別個に構成されてもよい。
【００９５】
ＥＰＧ情報管理部１００６は、放送で受信されたＥＰＧの情報を確認し、新しく番組が始まるごとにリモコン通信部１００５に新しく番組が始まったチャンネル番号を与える。リモコン１０１０から送信されるチャンネル番号変更の命令などの情報はリモコン通信部１００５で受信されて、チューナ部１００１に与えられる。また、電源ＯＮが指示されたときには、リモコン通信部１００５からリモコン１０１０に対して現在選局されているチャンネル番号が送信されるので、リモコン１０１０ではこのチャンネル番号を受信して記憶部１０１４に記憶しておく。また、ＥＰＧ情報管理部１００６から新しく番組の始まったときに送られる情報は、リモコン１０１０へ送信されて、処理部１０１３で処理された結果は、記憶部１０１４に記憶される。
【００９６】
図１１は、図１０のリモコン１０１０の外観図である。図においてリモコン１０１０には、チャンネル番号を決められた順番に変えるためのチャンネル送りボタン１１０１、その逆順に送るチャンネル戻しボタン１１０２、見たくない番組を記憶するために操作される記憶ボタン１１０７、見たい番組を記憶するための記憶ボタン１１０８、直接にチャンネル番号を指定するために操作されるボタン１１０５、電源ボタン１１０９、および操作されたボタンの情報を放送受信機１０００に対して送信したり、放送受信機１０００から信号を受信するための通信部１１０６を有する。通信部１１０６は、赤外線信号を送信または受信するための部分である。ここでは、リモコン１０１０で選択できるチャンネル数を１２としているが、チャンネル数は２つ以上であればよい。
【００９７】
動作において、電源ボタン１１０９が操作されると、放送受信機１０００において電源が入り、双方向通信により、放送受信機１０００側のリモコン通信部１００５からリモコン１０１０側のリモコン通信部１０１１に対して現在のチューナ部１００１が合わせているチャンネル番号が送信されて、このチャンネル番号はリモコン通信部１０１１にて受信されて、処理部１０１３により記憶部１０１４に記憶される。ユーザが、リモコン１０１０上に設けられたボタンを操作すると、操作されたボタンに関する情報は、入力部１０１２を介して処理部１０１３に与えられる。処理部１０１３では、記憶部１０１４に記憶されている情報を参照しながら、次に表示すべきチャンネル番号を決定して、その番号をリモコン通信部１０１１を介して放送受信機１０００に与える。
【００９８】
ここで、本実施の形態では、リモコン１０１０の記憶部１０１４へ現在のチャンネル番号を記憶するトリガとして電源ボタン１１０９の操作を挙げているが、放送受信機１０００から定期的に現在選局されているチャンネル番号を送信するようにしてもよいし、リモコン１０１０から直接にチャンネル番号を指定するボタンが指定されたときに、その指定されたチャンネル番号を記憶部１０１４に記憶するようにしてもよい。
【００９９】
図１２は、この発明の実施の形態３による処理フローチャートである。次にこのフローチャートを参照しシステムの動作を説明する。なお、記憶部１０１４には、ユーザのチャンネルを見たい、あるいは見たくないといった入力情報に基づいて、チャンネルを送る順番が記憶されるとする。
【０１００】
記憶部１０１４に記憶される情報は、前述した実施の形態２と全く同様であって、初期状態は図８（Ａ）のチャンネル優先度対応表ＴＢ２のように、チャンネル番号ＣＨとそれに対応する優先度ＰＲと、図９（Ａ）のチャンネル番号送り順列テーブルＴＢ３ように優先度ＰＲに基づいて並べ直されたチャンネル番号ＣＨの列を含んでいると想定する。
【０１０１】
リモコン１０１０の見たいボタン１１０８が操作されると、そのときに放送されているチャンネル番号に対する優先度が１増加し、見たくないボタン１１０７が押下されると、そのときに放送されているチャンネル番号に対する優先度が１減少する。本実施の形態では、優先度が負の値になっていると、ザッピングで該当するチャンネルはスキップされるものとする。もちろん、スキップをせずに、全チャンネルを優先度の順にチャンネル送りするようにしてもよい。
【０１０２】
ＥＰＧ情報管理部１００６から放送中の番組が終わり、新しい番組が開始されるという情報を処理部１０１３に送ると、ステップＳ１２０１でこれがチェックされて、ステップＳ１２０２へ進む。
【０１０３】
ステップＳ１２０２では、直前に放送された番組が終了して、次の新しい番組が始まった対応のチャンネル番号ＣＨに対してのみ、優先度ＰＲの初期化が行なわれる。
【０１０４】
ユーザがリモコン１０１０のボタンを操作すると、ステップＳ１２０３でどのボタンが操作されたのかが判断される。
【０１０５】
見たい記憶ボタン１１００が押下されているのならば、ステップＳ１２０４でチャンネル番号優先度対応表ＴＢ２において、現在チューナ部１００１が選局しているチャンネル番号ＣＨに対する優先度ＰＲが１増加される。
【０１０６】
見たくない記憶ボタン１１０７が押下されているならば、ステップＳ１２０５で、チャンネル番号優先度対応表ＴＢ２において、現在チューナ部１００１が選局しているチャンネル番号ＣＨに対する優先度ＰＲが１減少される。このとき、すべてのチャンネル番号ＣＨの優先度ＰＲが負の値になってしまうと、表示部１００２に表示できるチャンネルがなくなってしまうから、その場合をステップＳ１２０６でチェックし、該当する場合、ステップＳ１２０７で今変更しようしていたチャンネル番号ＣＨに対する優先度ＰＲの値を元に戻す。このとき、ユーザにエラー状態を知らせるために、図示されない出力部を介して警告表示や警告音を出すようにしてもよい。
【０１０７】
たとえば、すべてのチャンネル番号ＣＨに対する優先度ＰＲが０の状態で、チャンネル２を見ているときに、見たくない記憶ボタン１１０７が押されていると、チャンネル番号ＣＨ＝２に対する優先度ＰＲの値は−１されて、チャンネル４を見ているときに見たい記憶ボタン１１０８を押せば、チャンネル番号ＣＨ＝４に対する優先度ＰＲの値は＋１される。
【０１０８】
チャンネル送りボタン１１０１を押すと、ステップＳ１２０８で、現在、受信されている対応のチャンネル番号ＣＨがチャンネル番号送り順列テーブルＴＢ３のチャンネル番号ＣＨの並びの最後かどうかが判定される。もし、最後であれば、すべてのチャンネルに対してザッピングが一通り終了したから、後述のステップＳ１２１０へ飛ぶ。
【０１０９】
また、最後でなくても、次のチャンネル番号ＣＨの優先度ＰＲの値が負であれば、チャンネル番号送り順列テーブルＴＢ３における今のチャンネルの並びではもう表示するべきチャンネルはないので、後述のステップＳ１２１０へ飛ぶ。それ以外のときは、Ｓ１２１４で次に並べられたチャンネル番号ＣＨに対応の信号が受信されるようにチューナ部１００１が調整される。
【０１１０】
ステップＳ１２１０では、チャンネル優先度対応表ＴＢ２の内容に基づいてチャンネル番号送り順列テーブルＴＢ３におけるチャンネル番号ＣＨを並べ直す。並べ方は、実施の形態２と同様であって、優先度ＰＲの高い方から順に並べ、同一の優先度ＰＲを持つチャンネルは、どのように並べてもよい。たとえば、初期化が行なわれて図８（Ａ）の状態から、チャンネル４と８に対し見たい記憶ボタン１１０８を押下し、チャンネル２と１１に対し見たくない記憶ボタン１１０７を押下すると、図８（Ｂ）の状態になっている。これをステップＳ１２１０で並べ直すと、図９（Ｂ）の並べ方となる。ステップＳ１２１１では、並べ直した一番最初に位置するチャンネル番号ＣＨに対応して選局が行なわれるように、チューナ部１００１は調整される。
【０１１１】
チャンネル戻しボタン１１０２を押下すると、ステップＳ１２１２で最初のチャンネル番号ＣＨかどうかがチェックされて、最初でなければ、ステップＳ１２１３でチャンネル番号ＣＨを１つ前のチャンネルに変更して、前述したＳ１２１５に進む。
【０１１２】
上述した各実施の形態では、次の特徴が得られる。
ユーザから入力された見たい、あるいは見たくないというユーザの意志表示に基づいて、見たくない番組は次からは表示されないようにするか、ユーザの見たい順にチャンネルを並べて次から見せるかという番組の提示システムが提供される。
【０１１３】
また、入力されたユーザの意志表示を消去することができる。この消去のためのトリガの１つとしてユーザの入力を用いるか、タイマを用いるか、ＥＰＧの情報を用いるかという選択の範囲がある。入力された意志の消去機能は、これらのどれを使ってもよいし、複数の項目を兼ね備えるようにしてもよい。
【０１１４】
また、入力されたユーザの意志を、放送受信機側で記憶するか、リモコン側で記憶するかという２つの記憶態様がある。
【０１１５】
以上説明したように、これら実施の形態では、ユーザはザッピングに際して、現在チューニングされているチャンネルに対応の番組は見たい、あるいは見たくないといった意思表示情報を入力することで、次回以降のザッピングでは、見たい番組に対応のチャンネル番号ＣＨの順にチューニングされて受信される、あるいは見たくない番組に対応のチャンネル番号ＣＨはチューニングされず受信されない（画面表示されない）。
【０１１６】
結果として、ユーザにとってザッピング時の番組検索がわかりやすく行なえることになる。また、入力したユーザの意思表示の情報は、ユーザの所定入力操作があること、あるいはタイマ情報で一定時間経過すること、あるいはＥＰＧと連動して新しく番組が始まると、一旦見たくないとしていたチャンネルでもザッピングの対象チャンネルとできるようになるので、再度、ザッピングしたいときであっても不便なく使えるシステムが提供される。
【０１１７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  この発明の各実施の形態に係るシステムの構成図である。
【図２】  本実施の形態１によるリモコンの外観図である。
【図３】  この発明の実施の形態１に係る処理フローチャートである。
【図４】  （Ａ）と（Ｂ）は、本実施の形態１に係るチャンネルフラグ対応表を示す図である。
【図５】  本実施の形態２に係る放送受信システムの構成図である。
【図６】  図５のリモコンの外観図である。
【図７】  この発明の実施の形態２に係る処理フローチャートである。
【図８】  （Ａ）と（Ｂ）は、本実施の形態２に係るチャンネル優先度対応表を示す図である。
【図９】  （Ａ）〜（Ｃ）は、本実施の形態２に係るチャンネル番号送り順列テーブルを示す図である。
【図１０】  この発明の実施の形態３に係る放送受信システムの構成図である。
【図１１】  図１０のリモコンの外観図である。
【図１２】  この発明の実施の形態３による処理フローチャートである。
【符号の説明】
１００，５００，１０００  放送受信機、１１０，５１０，１０１０  リモコン、ＴＢ１  チャンネルフラグ対応表、ＴＢ２  チャンネル優先度対応表、ＴＢ３  チャンネル番号送り順列テーブルＴＢ３。
【図１】
0004502458.tif 000002
【図２】
0004502458.tif 000003
【図３】
0004502458.tif 000004
【図４】
0004502458.tif 000005
【図５】
0004502458.tif 000006
【図６】
0004502458.tif 000007
【図７】
0004502458.tif 000008
【図８】
0004502458.tif 000009
【図９】
0004502458.tif 000010
【図１０】
0004502458.tif 000011
【図１１】
0004502458.tif 000012
【図１２】
0004502458.tif 000013